(57)【特許請求の範囲】
【請求項１】
モビリティ管理エンティティ（ＭＭＥ）であって、
利用者装置（ＵＥ）からトラッキングエリア更新（ＴＡＵ）要求を受信する第１のネットワークインターフェースと、
前記ＴＡＵ要求をロケーションエリア更新（ＬＡＵ）要求に変換する処理装置と、
前記ＬＡＵ要求をトラッキングＭＳＣとして選択された移動通信交換局（ＭＳＣ）に送信し、それにより、続く移動機への音声呼のために、前記トラッキングＭＳＣが前記ＵＥを呼び出すネットワークノードとして前記ＭＭＥを確立する、前記処理装置と通信状態にある第２のネットワークインターフェースであって、前記第２のネットワークインターフェースは、ハンドオーバーが許可される１つまたは複数の適切なロケーションエリア識別子（ＬＡＩ）を識別する情報およびネットワークリソース識別子（ＮＲＩ）情報を少なくとも含む前記トラッキングＭＳＣからＬＡＵ応答を受信する第２のネットワークインターフェースと、を含み、
前記情報は前記トラッキングＭＳＣが前記適切なＬＡＩを制御することを示し、
前記処理装置は、前記ＬＡＵ応答を、前記第１のネットワークインターフェースを介して前記ＵＥに送信されるＴＡＵ応答に変換し、
前記処理装置は、ハンドオーバーのためにｅｖｏｌｖｅｄ  ＮｏｄｅＢ（ｅＮＢ）によって選択されたターゲット２Ｇ／３Ｇセルを使用して、移動機への音声呼のサポートにおいて、２Ｇ／３Ｇセルに対して、前記ＵＥのハンドオーバーをトリガし、
前記ターゲット２Ｇ／３Ｇセルは、前記適切なＬＡＩ情報によって示される前記ＬＡＩの少なくとも１つに属する、
モビリティ管理エンティティ。
【請求項２】
前記第１のネットワークインターフェースは、前記適切なＬＡＩ情報を、現在前記ＵＥがアイドル状態またはアクティブ状態である前記ＬＴＥセルを制御する前記ｅＮＢに転送し、さらに、この情報を、前記ＴＡＵ手順中に前記ＭＭＥから前記ＵＥに伝達されなかった場合は、前記ハンドオーバーの準備段階がトリガされる前に前記ｅＮＢと共に実行される前記制御プレーンのメッセージ交換中に前記ＵＥに伝達する請求項１に記載のＭＭＥ。
【請求項３】
前記第１のネットワークインターフェースは、ＮＲＩ情報を、現在前記ＵＥがアイドル状態またはアクティブ状態の前記ＬＴＥセルを制御する前記ｅＮＢに転送し、さらに、この情報を、前記ＴＡＵ手順中に前記ＭＭＥから前記ＵＥに伝達されなかった場合は、前記ハンドオーバーの準備段階がトリガされる前に、前記ＵＥが前記ｅＮＢと共に実行する前記制御プレーンのメッセージ交換中に、または前記ｅＮＢから受信するＥ−ＵＴＲＡＮコマンドからの前記ハンドオーバーにおいて、前記ＵＥに伝達する請求項２に記載のＭＭＥ。
【請求項４】
前記処理装置は、前記第１のネットワークインターフェースが、特定のターゲット２Ｇ／３Ｇセルが識別される前記ｅＮＢからリロケーション必要メッセージを受信したときに、前記ｅＮＢによってトリガされた前記ハンドオーバーの準備段階を進める請求項１に記載のＭＭＥ。
【請求項５】
第３のネットワークインターフェースを含み、前記処理装置は、リロケーション必要メッセージをフォワードリロケーション要求メッセージにマッピングし、前記第３のネットワークインターフェースは、前記ハンドオーバーが試みられる前記ターゲット２Ｇ／３Ｇセルに関連付けられているＳＧＳＮにそれを送信する請求項４に記載のＭＭＥ。
【請求項６】
前記第３のネットワークインターフェースは、前記フォワードリロケーション応答を前記ＳＧＳＮから受信する請求項５に記載のＭＭＥ。
【請求項７】
前記第１のネットワークインターフェースは、前記リロケーションコマンドを前記ｅＮＢに送信する請求項６に記載のＭＭＥ。
【請求項８】
前記第２のネットワークインターフェースは、対応する回線交換された（ＣＳ）呼び出しを前記トラッキングＭＳＣから受信して、所定のＵＥに対するＬＡＵ手順が成功した後の任意の時点で、前記トラッキングＭＳＣが、そのＵＥに対する音声呼を終了する必要性を検出したときに、前記ＣＳ呼び出しを１つまたは複数のｅＮＢに直ちに転送する、前記ＵＥを呼び出すことができる請求項１に記載のＭＭＥ。
【請求項９】
前記第１のネットワークインターフェースは、前記ＣＳ呼び出しを１つまたは複数のｅＮＢに送信し、これによりＣＳ呼び出しを受信する各ｅＮＢは、どのｅＮＢが実際に前記ＵＥにサービスを提供しているかを決定するために、前記ＵＥとの制御プレーンのメッセージ交換を試みて、前記サービスを提供しているｅＮＢは、ｅＮＢが前記ＣＳ呼び出しを受信した直後、および前記ＴＡＵ手順中に前記ＭＭＥから前記ＵＥに伝達されなかった場合は、前記ハンドオーバーの準備段階がトリガされる前に、または前記ハンドオーバー実行段階に前記ＵＥが続けて受信するＥ−ＵＴＲＡＮコマンドからの前記ハンドオーバーにおいて、前記ＵＥが前記サービスを提供しているｅＮＢと共に実行する前記制御プレーンのメッセージ交換中にＮＲＩ情報を前記ＵＥに伝達する請求項８に記載のＭＭＥ。
【請求項１０】
呼を設定するためのモビリティ管理エンティティ（ＭＭＥ）の方法であって、
利用者装置（ＵＥ）からトラッキングエリア更新（ＴＡＵ）要求を受信するステップと、
前記ＴＡＵをロケーションエリア更新（ＬＡＵ）要求に変換するステップと、
前記ＬＡＵ要求をトラッキングＭＳＣとして選択された移動通信交換局（ＭＳＣ）に送信するステップであって、それにより、続く移動機への音声呼のために、前記トラッキングＭＳＣが前記ＵＥを呼び出すネットワークノードとして前記ＭＭＥを確立するステップと、
ハンドオーバーが許可される１つまたは複数の適切なロケーションエリア識別子（ＬＡＩ）を識別する情報およびネットワークリソース識別子（ＮＲＩ）情報を少なくとも含む前記トラッキングＭＳＣからＬＡＵ応答を受信するステップであって、前記情報は前記トラッキングＭＳＣが前記適切なＬＡＩを制御するステップと、
ハンドオーバーのためにｅｖｏｌｖｅｄ  ＮｏｄｅＢ（ｅＮＢ）によって選択されたターゲット２Ｇ／３Ｇセルを使用して、移動機への音声呼のサポートにおいて、２Ｇ／３Ｇセルに対して、前記ＵＥのハンドオーバーをトリガするステップであって、前記ターゲット２Ｇ／３Ｇセルは、前記適切なＬＡＩ情報によって示される前記ＬＡＩの少なくとも１つに属するステップと、
を含むことを示す方法。
【請求項１１】
前記適切なＬＡＩ情報を、前記ＵＥが現在アイドル状態またはアクティブ状態である前記ＬＴＥセルを制御する前記ｅＮＢに転送し、さらに、この情報を、前記ＴＡＵ手順中に前記ＭＭＥから前記ＵＥに伝達されなかった場合は、前記ハンドオーバーの準備段階がトリガされる前に、前記ｅＮＢと共に実行される前記制御プレーンのメッセージ交換中に前記ＵＥに伝達するステップを含む、請求項１０に記載の方法。
【請求項１２】
ＮＲＩ情報を、現在前記ＵＥがアイドル状態またはアクティブ状態の前記ＬＴＥセルを制御する前記ｅＮＢに転送し、さらに、この情報を、前記ＴＡＵ手順中に前記ＭＭＥから前記ＵＥに伝達されなかった場合は、前記ハンドオーバーの準備段階がトリガされる前に、前記ＵＥが前記ｅＮＢと共に実行する前記制御プレーンのメッセージ交換中に、または前記ｅＮＢから受信するＥ−ＵＴＲＡＮコマンドからの前記ハンドオーバーにおいて、前記ＵＥに伝達するステップを含む、請求項１１に記載の方法。
【請求項１３】
リロケーション必要メッセージを特定のターゲット２Ｇ／３Ｇセルが識別される前記ｅＮＢから受信することによって、前記ハンドオーバーの準備段階をトリガするステップを含む、請求項１０に記載の方法。
【請求項１４】
前記リロケーション必要メッセージをフォワードリロケーション要求メッセージにマッピングし、前記ハンドオーバーの試行先である前記２Ｇ／３Ｇセルに関連付けられているＳＧＳＮにそれを送信するステップを含む、請求項１３に記載の方法。
【請求項１５】
前記フォワードリロケーション応答を前記ＳＧＳＮから受信するステップを含む、請求項１４に記載の方法。
【請求項１６】
前記リロケーションコマンドを前記ｅＮＢに送信するステップを含む、請求項１５に記載の方法。
【請求項１７】
対応する回線交換された（ＣＳ）呼び出しを前記トラッキングＭＳＣから受信し、所定のＵＥに対するＬＡＵ手順が成功した後の任意の時点で、前記トラッキングＭＳＣが、そのＵＥに対する音声呼を終了する必要性を検出したときに、前記ＣＳ呼び出しを前記ｅＮＢに直ちに転送するステップを含む、請求項１０に記載の方法。
【請求項１８】
前記ＣＳ呼び出しを前記ｅＮＢに送信し、これにより前記ｅＮＢは、ｅＮＢが前記ＣＳ呼び出しを受信した直後に、前記ＵＥが前記ｅＮＢと共に実行する制御プレーンのメッセージ交換中に、および前記ＴＡＵ手順中に前記ＭＭＥから前記ＵＥに伝達されなかった場合は、前記ハンドオーバーの準備段階がトリガされる前に、または前記ハンドオーバー実行段階に前記ＵＥが続けて受信するＥ−ＵＴＲＡＮコマンドからの前記ハンドオーバーにおいて、ＮＲＩ情報を前記ＵＥに伝達するステップを含む、請求項１７に記載の方法。
【発明の詳細な説明】
【技術分野】
【０００１】
本発明は、呼確立の必要性が最初に検出されたときのＬＴＥネットワークからＧＳＭまたはＵＭＴＳネットワークへの無線利用者装置（ＵＥ）の遷移に関する（本明細書において、「本発明」または「発明」という言葉は、代表的な実施形態に関するものであって、必ずしも添付の特許請求の範囲に記載されているすべての実施形態に関するものではない）。より具体的には、本発明は、アイドルモードで、またはＬＴＥネットワークもしくはＵＥが、呼確立においてＩＰマルチメディアサブシステム制御プレーン機能をサポートしていない１つまたは複数の継続的なパケットデータサービス（すべて非音声）を用いて、所定のＬＴＥセルで作動しているＵＥに対して、呼確立の必要性が最初に検出されたときにおける、ＬＴＥネットワークからＧＳＭまたはＵＭＴＳネットワークへのＵＥの遷移に関する。
【背景技術】
【０００２】
この節は、本発明の様々な態様に関する技術の様々な態様を読者に紹介することを意図している。以下の説明は、本発明に関する理解を深めるための情報を提供することを意図している。したがって、以下の説明の記述は、この観点から読まれることを意図しているものであって、従来技術の承認として読まれることを意図するものではないことを理解されたい。
【０００３】
対象のシナリオでは、ＵＥ（利用者装置）が、アイドルモードで、またはＬＴＥネットワークもしくはＵＥが、呼確立においてＩＰマルチメディアサブシステム（ＩＭＳ）制御プレーン機能をサポートしていない１つまたは複数の継続的なパケットデータサービス（すべて非音声）を用いて、所定のＬＴＥ（Ｌｏｎｇ  Ｔｅｒｍ  Ｅｖｏｌｕｔｉｏｎ）セルで作動している。ＩＭＳで呼確立がサポートされていないということは、呼（つまり音声）を確立する必要があるときに、呼を確立するために必要な制御プレーンシグナリングを実行する目的で、ＵＥはＬＴＥネットワークによるサービスを受けるのを止めて、ＧＳＭネットワークまたはＵＭＴＳネットワークからサービスを受け始める必要があることを意味する。言い換えると、呼確立の必要性が最初に検出されたときに、ＬＴＥネットワークからＧＳＭネットワークまたはＵＭＴＳネットワークへの遷移が発生しなければ、呼を設定することは可能ではない。
【発明の概要】
【０００４】
本発明は、呼を設定するためのモビリティ管理エンティティ（ＭＭＥ）に関する。ＭＭＥは、利用者装置（ＵＥ）からトラッキングエリア更新（ＴＡＵ）要求を受信する第１のネットワークインターフェースを含む。ＭＭＥは、ＴＡＵ要求をロケーションエリア更新（ＬＡＵ）要求に変換する処理装置を含む。ＭＭＥは、ＬＡＵ要求をトラッキングＭＳＣとして選択された移動通信交換局（ＭＳＣ）に送信し、これにより、ＵＥが呼び出されるネットワークノードとしてＭＭＥを確立する、処理装置と通信状態にある第２のネットワークインターフェースを含む。第２のネットワークインターフェースは、ハンドオーバーが許可される１つまたは複数の適切なロケーションエリア識別子（ＬＡＩ（複数可））を識別する情報およびネットワークリソース識別子（ＮＲＩ）情報を少なくとも含むトラッキングＭＳＣからＬＡＵ応答を受信し、この情報はトラッキングＭＳＣが適切なＬＡＩ（複数可）を制御することを示し、処理装置は、ＬＡＵ応答を第１のネットワークインターフェースを介してＵＥに送信されるＴＡＵ応答に変換する。
【０００５】
本発明は、呼を設定するためのモビリティ管理エンティティ（ＭＭＥ）の方法に関する。この方法は、トラッキングエリア更新（ＴＡＵ）要求を利用者装置（ＵＥ）から受信するステップを含む。ＴＡＵをロケーションエリア更新（ＬＡＵ）要求に変換するステップが存在する。ＬＡＵ要求をトラッキングＭＳＣとして選択された移動通信交換局（ＭＳＣ）に送信するステップが存在する。ハンドオーバーが許可される１つまたは複数の適切なロケーションエリア識別子（ＬＡＩ（複数可））を識別する情報およびネットワークリソース識別子（ＮＲＩ）情報を少なくとも含むトラッキングＭＳＣからＬＡＵ応答を受信するステップが存在し、この情報はトラッキングＭＳＣが適切なＬＡＩ（複数可）を制御することを示す。
【０００６】
本発明は、利用者装置（ＵＥ）の方法に関する。この方法は、トラッキングエリア更新（ＴＡＵ）要求をモビリティ管理エンティティ（ＭＭＥ）に送信するステップを含む。適切なロケーションエリア識別子（ＬＡＩ）およびＴＭＳＩ／ＮＲＩを有するＴＡＵ応答を受信するステップと、適切なＬＡＩおよびＴＭＳＩ／ネットワークリソース識別子（ＮＲＩ）を格納するステップとが存在する。
【０００７】
本発明は、利用者装置（ＵＥ）に関する。ＵＥは、トラッキングエリア更新（ＴＡＵ）要求を作成する処理装置を含む。ＵＥは、ＴＡＵ要求をモビリティ管理エンティティ（ＭＭＥ）に送信し、適切なロケーションエリア識別子（ＬＡＩ）およびＴＭＳＩ／ネットワークリソース識別子（ＮＲＩ）を有するＴＡＵ応答を受信する、処理装置と通信状態にあるネットワークインターフェースを含む。ＵＥは、適切なＬＡＩおよびＴＭＳＩ／ＮＲＩを格納する、ネットワークインターフェースと通信状態にあるメモリを含む。
【０００８】
添付の図面において、本発明の好ましい実施形態、および本発明を実行するための好ましい方法を示す。
【図面の簡単な説明】
【０００９】
【図１】ドメイン間呼び出し−呼び出し応答手順を示す図である。
【図２】ＬＴＥ／ＳＡＥからＭＳＣへの位置更新の手順を示す図である。
【図３】ドメイン間ハンドオーバー手順に基づいた移動機への呼のＣＳフォールバックを示す図である。
【図４】ドメイン間ハンドオーバー手順に基づいた移動機からの呼のＣＳフォールバックを示す図である。
【図５】本発明のＭＭＥのブロック図である。
【図６】本発明のＵＥのブロック図である。
【発明を実施するための形態】
【００１０】
図面を参照する。複数の図において、同じ参照番号は類似または同一の部分を指す。より具体的には図１および図５を参照すると、呼を設定するためのモビリティ管理エンティティ（ＭＭＥ）が示されている。ＭＭＥは、トラッキングエリア更新（ＴＡＵ）要求を利用者装置（ＵＥ）から受信する第１のネットワークインターフェース１２を含む。ＭＭＥは、ＴＡＵ要求をロケーションエリア更新（ＬＡＵ）要求に変換する処理装置１８を含む。ＭＭＥは、ＬＡＵ要求をトラッキングＭＳＣとして選択された移動通信交換局（ＭＳＣ）に送信し、これにより、ＵＥが呼び出されるネットワークノードとしてＭＭＥを確立する、処理装置１８と通信状態にある第２のネットワークインターフェース１４を含む。第２のネットワークインターフェース１４は、ハンドオーバーが許可される１つまたは複数の適切なロケーションエリア識別子（ＬＡＩ（複数可））を識別する情報およびネットワークリソース識別子（ＮＲＩ）情報を少なくとも含むトラッキングＭＳＣからＬＡＵ応答を受信し、この情報はトラッキングＭＳＣが適切なＬＡＩ（複数可）を制御することを示し、処理装置１８は、ＬＡＵ応答を第１のネットワークインターフェース１２を介してＵＥに送信されるＴＡＵ応答に変換する。
【００１１】
処理装置１８は、適切なＬＡＩ情報によって示されているＬＡＩの少なくとも１つに属する、ハンドオーバーのためにｅｖｏｌｖｅｄ  ＮｏｄｅＢ（ｅＮＢ）によって選択されたターゲット２Ｇ／３Ｇセルを使用することができる。第１のネットワークインターフェース１２は、適切なＬＡＩ情報を、ＵＥが現在アイドル状態またはアクティブ状態であるＬＴＥセルを制御するｅＮＢに転送し、さらに、この情報を、ＴＡＵ手順中にＭＭＥからＵＥに伝達されなかった場合は、ハンドオーバーの準備段階がトリガされる前にｅＮＢと共に実行される制御プレーンのメッセージ交換時にＵＥに伝達することができる。
【００１２】
第１のネットワークインターフェース１２は、ＮＲＩ情報を、ＵＥが現在アイドル状態またはアクティブ状態であるＬＴＥセルを制御するｅＮＢに転送し、さらに、この情報を、ＴＡＵ手順中にＭＭＥからＵＥに伝達されなかった場合は、ハンドオーバーの準備段階がトリガされる前に、ＵＥがｅＮＢと共に実行する制御プレーンのメッセージ交換時に、またはｅＮＢから受信するＥ−ＵＴＲＡＮコマンドからのハンドオーバーにおいて、ＵＥに伝達することができる。処理装置１８は、第１のネットワークインターフェース１２が、特定のターゲット２Ｇ／３Ｇセルが識別されるｅＮＢからリロケーション必要（Ｒｅｌｏｃａｔｉｏｎ  Ｒｅｑｕｉｒｅｄ）メッセージを受信したときに、ｅＮＢによってトリガされるハンドオーバーの準備段階を進めることができる。
【００１３】
第３のネットワークインターフェース１６が存在してもよく、その場合、処理装置１８はリロケーション必要メッセージをフォワードリロケーション要求（Ｆｏｒｗａｒｄ  Ｒｅｌｏｃａｔｉｏｎ  Ｒｅｑｕｅｓｔ）メッセージにマッピングして、第３のネットワークインターフェース１６は、ハンドオーバーの試行先である２Ｇ／３Ｇセルに関連付けられているＳＧＳＮにそれを送信する。第３のネットワークインターフェース１６は、フォワードリロケーション応答（Ｆｏｒｗａｒｄ  Ｒｅｌｏｃａｔｉｏｎ  Ｒｅｓｐｏｎｓｅ）をＳＧＳＮから受信することができる。第１のネットワークインターフェース１２は、リロケーションコマンド（Ｒｅｌｏｃａｔｉｏｎ  Ｃｏｍｍａｎｄ）をｅＮＢに送信することができる。ＭＭＥは、ＵＥが呼び出されるＬＴＥネットワークノードでもよく、その場合、第２のネットワークインターフェース１４は、対応する回線交換された（ＣＳ）呼び出しをトラッキングＭＳＣから受信し、所定のＵＥに対するＬＡＵ手順が成功した後の任意の時点で、トラッキングＭＳＣが、そのＵＥに対する音声呼を終了する必要性を検出したときに、ＣＳ呼び出しを１つまたは複数のｅＮＢに直ちに転送する。第１のネットワークインターフェース１２は、ＣＳ呼び出しを１つまたは複数のｅＮＢに送信し、ＣＳ呼び出しを受信する各ｅＮＢに、ＵＥとの制御プレーンのメッセージ交換を試みさせて、実際にＵＥにサービスを提供しているｅＮＢを決定させて、ｅＮＢがＣＳ呼び出しを受信した直後に、ＵＥがサービスを提供しているｅＮＢとの制御プレーンのメッセージ交換中に、およびＴＡＵ手順中にＭＭＥからＵＥに伝達されなかった場合は、ハンドオーバーの準備段階がトリガされる前に、またはハンドオーバーの実行段階にＵＥが続けて受信するＥ−ＵＴＲＡＮコマンドからのハンドオーバーにおいて、サービスを提供しているｅＮＢにＮＲＩ情報をＵＥに伝達させる。
【００１４】
本発明は、呼を設定するためのモビリティ管理エンティティ（ＭＭＥ）の方法に関する。この方法は、トラッキングエリア更新（ＴＡＵ）要求を利用者装置（ＵＥ）から受信するステップを含む。ＴＡＵをロケーションエリア更新（ＬＡＵ）要求に変換するステップが存在する。ＬＡＵ要求をトラッキングＭＳＣとして選択された移動通信交換局（ＭＳＣ）に送信するステップが存在する。ハンドオーバーが許可される１つまたは複数の適切なロケーションエリア識別子（ＬＡＩ（複数可））を識別する情報およびネットワークリソース識別子（ＮＲＩ）情報を少なくとも含むトラッキングＭＳＣからＬＡＵ応答を受信するステップが存在し、この情報はトラッキングＭＳＣが適切なＬＡＩ（複数可）を制御することを示す。
【００１５】
ターゲット２Ｇ／３Ｇセルは、ハンドオーバーのために、適切なＬＡＩ情報によって示されているＬＡＩの少なくとも１つに属するｅｖｏｌｖｅｄ  ＮｏｄｅＢ（ｅＮＢ）によって選択することができる。適切なＬＡＩ情報を、ＵＥが現在アイドル状態またはアクティブ状態であるＬＴＥセルを制御しているｅＮＢに転送し、さらに、この情報を、ＴＡＵ手順中にＵＥに伝達されなかった場合は、ハンドオーバーの準備段階がトリガされる前に、ｅＮＢと共に実行される制御プレーンのメッセージ交換時にＵＥに伝達するステップがあってもよい。ＮＲＩ情報を、ＵＥが現在アイドル状態またはアクティブ状態であるＬＴＥセルを制御しているｅＮＢに転送し、さらに、この情報を、ＴＡＵ手順中にＭＭＥからＵＥに伝達されなかった場合は、ハンドオーバーの準備段階がトリガされる前に、ＵＥがｅＮＢと共に実行する制御プレーンのメッセージ交換中に、またはｅＮＢから受信するＥ−ＵＴＲＡＮコマンドからのハンドオーバーにおいて、ＵＥに伝達するステップがあってもよい。
【００１６】
ｅＮＢからリロケーション必要メッセージを受信することによりハンドオーバーの準備段階をトリガして、特定のターゲット２Ｇ／３Ｇセルが識別されるステップがあってもよい。リロケーション必要メッセージをフォワードリロケーション要求メッセージマッピングして、ハンドオーバーの試行先である２Ｇ／３Ｇセルに関連付けられているＳＧＳＮにそれを送信するステップがあってもよい。フォワードリロケーション応答をＳＧＳＮから受信するステップがあってもよい。
【００１７】
リロケーションコマンドをｅＮＢに送信するステップがあってもよい。対応する回線交換された（ＣＳ）呼び出しをトラッキングＭＳＣから受信し、所定のＵＥに対するＬＡＵ手順が成功した後の任意の時点で、トラッキングＭＳＣが、そのＵＥに対する音声呼を終了する必要性を検出したときに、ＣＳ呼び出しをｅＮＢに直ちに転送するステップがあることが好ましい。ＣＳ呼び出しをｅＮＢに送信し、ｅＮＢがＣＳ呼び出しを受信した直後に、ＵＥがｅＮＢと共に実行する制御プレーンのメッセージ交換中に、およびＴＡＵ手順中にＭＭＥからＵＥに伝達されなかった場合は、ハンドオーバーの準備段階がトリガされる前に、またはハンドオーバーの実行段階にＵＥが続けて受信するＥ−ＵＴＲＡＮコマンドからのハンドオーバーにおいて、ｅＮＢがＮＲＩ情報をＵＥに伝達するステップがあってもよい。
【００１８】
本発明は、利用者装置（ＵＥ）の方法に関する。この方法は、トラッキングエリア更新（ＴＡＵ）要求をモビリティ管理エンティティ（ＭＭＥ）に送信するステップを含む。適切なロケーションエリア識別子（ＬＡＩ）およびＴＭＳＩ／ＮＲＩを有するＴＡＵ応答を受信するステップと、適切なＬＡＩおよびＴＭＳＩ／ネットワークリソース識別子（ＮＲＩ）を格納するステップとが存在する。
【００１９】
図６に示すように、本発明は利用者装置（ＵＥ）に関する。ＵＥは、トラッキングエリア更新（ＴＡＵ）要求を作成する処理装置１８を含む。ＵＥは、ＴＡＵ要求をモビリティ管理エンティティ（ＭＭＥ）に送信し、適切なロケーションエリア識別子（ＬＡＩ）およびＴＭＳＩ／ネットワークリソース識別子（ＮＲＩ）を有するＴＡＵ応答を受信する、処理装置１８と通信状態にあるネットワークインターフェース２０を含む。ＵＥは、適切なＬＡＩおよびＴＭＳＩ／ＮＲＩを格納する、ネットワークインターフェース２０と通信状態にあるメモリ２２を含む。
【００２０】
本発明は電気通信システムに関する。システムは、１つまたは複数のモビリティ管理エンティティ（ＭＭＥ）および１つまたは複数のＬＴＥセルを有するＬｏｎｇ  Ｔｅｒｍ  ＥｖｏｌｕｔｉｏｎおよびＳｙｓｔｅｍ  Ａｒｃｈｉｔｅｃｔｕｒｅ  Ｅｖｏｌｕｔｉｏｎ（ＬＴＥ／ＳＡＥ）ネットワークを含む。システムは、ＩＭＳに対するＵＥサポートもしくはＬＴＥ／ＳＡＥネットワークサポートがないために、またはＵＥおよびＬＴＥ／ＳＡＥネットワークの両方によってサポートされているときに、ＵＥが、アイドル状態あるいは１つまたは複数の継続的な非音声ＰＳドメインデータサービスを作動していて、ＵＥがＩＭＳを使用しないことを選択したために、ＩＰ  Ｍｕｌｔｉｍｅｄｉａ  Ｃｏｒｅ  Ｎｅｔｗｏｒｋ  Ｓｕｂｓｙｓｔｅｍ（ＩＭＳ）ベースの呼確立シグナリングを使用する機能を持たない、サービスを提供しているＬＴＥセル内で作動している利用者装置（ＵＥ）を含む。システムは、移動通信交換局（ＭＳＣ）を有するＧＳＭ／ＵＭＴＳシステムを含む。これは、ＵＥが論理的なＧＳＭ／ＥＤＧＥ無線アクセスネットワーク（ＧＥＲＡＮ）セルまたはＵｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）セルとして作動する、サービスを提供しているＬＴＥセルを考慮することによって、回線交換された（ＣＳ）ドメインにおいてＵＥの位置を追跡し、サービスを提供しているＬＴＥセルに重複する無線通信可能領域を提供する実際のＧＥＲＡＮまたはＵＴＲＡＮセルをサポートし、移動機への（ＭＴ）音声呼は、ＧＳＭ／ＵＭＴＳシステムのＣＳドメインでトリガされてトラッキングＭＳＣに達し、ＵＥを呼び出すことができるＭＭＥを既に識別していて、ＬＴＥ／ＳＡＥネットワークにおいてＣＳ呼び出しをＭＭＥに送信し、ＭＭＥによるＣＳ呼び出しの受信は、ＬＴＥ／ＳＡＥネットワークが、ＵＥのパケット交換（ＰＳ）ハンドオーバーを重なったＧＳＭ／ＵＭＴＳシステム内のターゲットＧＥＲＡＮ／ＵＴＲＡＮセルに対して実行することをトリガし、そこで、適切なロケーションエリア識別子（ＬＡＩ）情報を使用して、かつＵＥから受信した測定情報または好ましい候補ターゲットセル情報を使用して、ターゲットＧＥＲＡＮ／ＵＴＲＡＮセルが、ｅｖｏｌｖｅｄ  ＮｏｄｅＢ（ｅＮＢ）によって決定される。ＣＳ無線リソースおよびＰＳ無線リソースの割り当てを含むハンドオーバーコマンドの伝送は、ＬＴＥセルのＵＥに送信され、次に、ＵＥは、ハンドオーバーコマンドによって示されたＧＥＲＡＮ／ＵＴＲＡＮセルに移動して、ＰＳドメインハンドオーバー手順を使用してハンドオーバーを完了し、最初にＣＳ呼び出しをＭＭＥに送信したトラッキングＭＳＣに呼び出し応答（Ｐａｇｅ  Ｒｅｓｐｏｎｓｅ）を送信し、次に、ＵＥは、必要に応じてＧＳＭ／ＵＭＴＳシステムとのＭＴ呼設定シグナリングを実行するために、割り当てられたＣＳ無線リソースを使用して、ＭＴ呼設定を完了し、発呼者との会話を開始する。
【００２１】
ＭＭＥからトラッキングＭＳＣに送信できるロケーションエリア更新（ＬＡＵ）は、ＵＥが最初にＭＭＥを用いてトラッキングエリア更新（ＴＡＵ）シグナリングを実行することによってトリガされ、ここで、各ＴＡＵシグナリングメッセージは、実際にはｅＮＢからＭＭＥに透過的に通過したＬＡＵシグナリングメッセージでもよい。ＭＳＣは、ＭＭＥに送信されたＬＡＵ応答に、適切なＬＡＩ情報およびネットワークリソース識別子（ＮＲＩ）情報を含むことができる。ＭＳＣは、ＣＳ呼び出しをＭＭＥに送信することができ、そこにＮＲＩを含む。
【００２２】
ｅＮＢは、ｅＮＢがＭＭＥから、ＧＥＲＡＮ／ＵＴＲＡＮ  ＣＳドメインにおいて音声呼を確立する必要があることを示すＣＳ呼び出しを受信した後に、ＬＴＥセルのＵＥを用いて制御プレーンのメッセージ交換手順をトリガすることができ、制御プレーンのメッセージ交換は、ＵＥがｅＮＢに対して、最後のＴＡＵ中に、１組の１つまたは複数の希望のターゲットＧＥＲＡＮ／ＵＴＲＡＮセル、ターゲットセル測定情報、およびＵＥが受信した潜在的に適切なＬＡＩ情報を示すことを可能にして、ｅＮＢが、ＵＥによって実行された最後のＴＡＵの結果として既にそのような情報を保持している場合は、適切なＬＡＩ情報は省略される。ＵＥとの制御プレーンのメッセージ交換を完了した結果として、ハンドオーバー先として望まれる特定の２Ｇセル（つまりＧＥＲＡＮセル）または３Ｇセル（つまりＵＴＲＡＮセル）のターゲットセルＩＤを使用して、ｅＮＢはハンドオーバー手順の準備段階をトリガすることができ、ｅＮＢは、ＵＥによって提供される候補ターゲットセル情報、ＵＥによって提供される測定情報、および適切なＬＡＩ情報を使用してターゲットセルＩＤを決定する。
【００２３】
ｅＮＢとの制御プレーンのメッセージ交換を実行するときに、ＵＥは、アイドルモードにあるか、または１つもしくは複数の継続的な非音声ＰＳドメインデータサービスを有し、候補の２Ｇ／３Ｇセルのバックグラウンド測定を実行していて、ｅＮＢに、この測定情報、適切なＬＡＩ情報（そのＵＥによって実行された前のＴＡＵの結果がｅＮＢによって保持されていない場合）、およびハンドオーバーの準備段階をトリガするために必要な候補ターゲット２Ｇ／３ＧセルＩＤ情報を提供する。ＵＥは、複数の候補ターゲット２Ｇ／３ＧセルのセルＩＤ情報をｅＮＢに提供することを選択できるが、ｅＮＢは、１つの２Ｇ／３Ｇセルだけが、所定のＬＴＥセルによってサービスが提供される通信領域に関連付けられるように構成することができる。ハンドオーバーの準備段階の完了時に、ｅＮＢは、ターゲット２Ｇ／３Ｇセルで使用される必要なＰＳおよびＣＳリソースを識別するＥ−ＵＴＲＡＮコマンドからのハンドオーバーをＵＥに送信することによって、実行段階をトリガすることができる。
【００２４】
適切なＬＡＩ情報およびＮＲＩ情報は、ｅＮＢに格納することができる。ＮＲＩは、ＴＡＵ手順中にＭＭＥからＵＥに伝達されなかった場合は、ハンドオーバーの準備段階がトリガされる前にｅＮＢと共に実行される制御プレーンのメッセージ交換時に、またはｅＮＢから受信するＥ−ＵＴＲＡＮコマンドからのハンドオーバーにおいて、さらにＵＥに伝達される。Ｅ−ＵＴＲＡＮコマンドからのハンドオーバーによって提供される無線情報およびＰＳリソースを使用して、ターゲット２Ｇ／３Ｇセルに対するハンドオーバーを完了した後に、ＵＥは、割り当てられたＣＳ無線リソースを使用することによって、ターゲットセルにおいてＭＴ呼確立シグナリングをトリガして、ターゲットの無線ネットワーク制御装置（ＲＮＣ）または基地局制御装置（ＢＳＣ）によって使用されるＮＲＩ情報を含む呼び出し応答メッセージを送信して、呼び出し応答の送信先となるトラッキングＭＳＣを決定することができる。
【００２５】
最初のＣＳ呼び出しをＭＭＥに送信したトラッキングＭＳＣは、対応する呼び出し応答メッセージを受信することができ、次にＧＳＭ／ＵＭＴＳシステムとの呼設定が完了して、その結果、ＵＥは発呼者との会話を開始する。
【００２６】
本発明は、テレコミュニケーションノードの方法に関する。この方法は、１つまたは複数のモビリティ管理エンティティ（ＭＭＥ）を有するＬＴＥ／ＳＡＥネットワークのＬｏｎｇ  Ｔｅｒｍ  Ｅｖｏｌｕｔｉｏｎ（ＬＴＥ）セルの利用者装置（ＵＥ）を用いて、移動機への（ＭＴ）音声呼確立手順をトリガするステップを含む。ＩＭＳに対するＵＥサポートまたはＬＴＥ／ＳＡＥネットワークサポートがないために、またはＵＥおよびＬＴＥ／ＳＡＥネットワークの両方によってサポートされるときに、ＵＥがアイドル状態ならびに１つまたは複数の継続的な非音声パケット交換（ＰＳ）ドメインデータサービスを作動していて、ＵＥがＩＭＳを使用しないことを選択したために、ＵＥは、ＩＰ  Ｍｕｌｔｉｍｅｄｉａ  Ｃｏｒｅ  Ｎｅｔｗｏｒｋ  Ｓｕｂｓｙｓｔｅｍ（ＩＭＳ）ベースの呼確立シグナリングを使用する機能を持たない、サービスを提供しているＬＴＥセルで作動する。回線交換された（ＣＳ）呼び出しをＧＳＭ／ＵＭＴＳシステムの移動通信交換局（ＭＳＣ）から送信するステップがあり、ＣＳドメイン内でＵＥの位置を追跡して、ＬＴＥセルに重複する２Ｇ／３Ｇセルの無線通信可能領域を、ＵＥを呼び出すことができる適切なＭＭＥに提供する。ＣＳ呼び出しをＭＭＥで受信して、１つまたは複数のｅｖｏｌｖｅｄ  ＮｏｄｅＢ（ｅＮＢ）にそれを転送するステップが存在する。ＣＳ呼び出しを受信する各ｅＮＢは、どのｅＮＢが実際にＵＥにサービスを提供しているかを決定するために、ＵＥとの制御プレーンのメッセージ交換を試みる。サービスを提供しているｅＮＢは、ＵＥとの制御プレーンのメッセージ交換を実行し、ハンドオーバー先として望まれる特定の２Ｇ／３ＧセルのターゲットセルＩＤを使用してハンドオーバー手順の準備段階をトリガし、ｅＮＢは、ＵＥによって提供される候補ターゲットセル情報、ＵＥによって提供される測定情報、および適切なロケーションエリア識別子（ＬＡＩ）情報を使用してターゲットセルＩＤを決定し、選択されたターゲットセルは、対応するＬＡＩを、適切なＬＡＩ情報によって識別された１組のＬＡＩ内に持つ。ＬＴＥ／ＳＡＥネットワークにＵＥのＰＳハンドオーバーを重なったＧＳＭ／ＵＭＴＳシステムに対して実行させるステップがあり、ＵＥに送信されるハンドオーバーコマンドは、ＣＳ無線リソースおよびＰＳ無線リソースの割り当てを含む。ハンドオーバーコマンドによって提供される無線情報を使用してＵＥがターゲット２Ｇ／３Ｇに移動し、これもハンドオーバーコマンドによって提供されるＰＳリソースを使用してハンドオーバー手順を完了し、割り当てられたＣＳ無線リソースを使用して呼び出し応答（ページング応答とも呼ぶ）をトラッキングＭＳＣに送信するステップが存在する。ＧＳＭ／ＵＭＴＳシステムとの呼設定を完了し、その結果として、ＵＥが発呼者との会話を開始するステップが存在する。
【００２７】
ハンドオーバーのために選択されたターゲット２Ｇ／３Ｇセルは、適切なＬＡＩ情報によって示されたＬＡＩの少なくとも１つに属することができる。適切なＬＡＩ情報をＭＭＥから現在ＵＥが位置するＬＴＥセルを制御しているｅｖｏｌｖｅｄ  ＮｏｄｅＢ（ｅＮＢ）に転送し、さらに、この情報を、ＴＡＵ手順中にＭＭＥからＵＥに伝達されなかった場合は、ハンドオーバーの準備段階がトリガされる前にｅＮＢと共に実行される制御プレーンのメッセージ交換中にＵＥに伝達するステップが存在してもよい。ＮＲＩ情報をＭＭＥから現在ＵＥが位置するＬＴＥセルを制御しているｅＮＢに転送し、さらに、この情報を、ＴＡＵ手順中にＭＭＥからＵＥに伝達されなかった場合は、ハンドオーバーの準備段階がトリガされる前にｅＮＢと共に実行される制御プレーンのメッセージ交換中に、またはｅＮＢから受信するＥ−ＵＴＲＡＮコマンドからのハンドオーバーにおいてＵＥに伝達するステップが存在してもよい。
【００２８】
ｅＮＢが、リロケーション必要メッセージをＭＭＥに送信することによってハンドオーバーの準備段階をトリガして、特定のターゲット２Ｇ／３Ｇセルが識別されるステップが存在してもよい。ＭＭＥがリロケーション必要をフォワードリロケーション要求メッセージにマッピングして、ハンドオーバーの試行先である２Ｇ／３Ｇセルに関連付けられているＳＧＳＮにそれを送信するステップが存在してもよい。ＭＭＥがフォワードリロケーション応答をＳＧＳＮから受信するステップが存在してもよい。ＭＭＥがリロケーションコマンドをｅＮＢに送信し、Ｅ−ＵＴＲＡＮコマンドからのハンドオーバーにマッピングして、ＵＥに送信するステップが存在してもよい。
【００２９】
所定のＵＥのＬＡＵ手順が成功した後の任意の時点で、トラッキングＭＳＣが、そのＵＥに対する音声呼を終了する必要性を検出し、その場合には、対応する回線交換された（ＣＳ）呼び出しを、ＵＥを呼び出すことができるＭＭＥに送信して、ＣＳ呼び出しを１つまたは複数のｅＮＢに直ちに転送して、ＣＳ呼び出しを受信する各ｅＮＢは、どのｅＮＢが実際にＵＥにサービスを提供しているかを決定するために、ＵＥとの制御プレーンのメッセージ交換を試みる。サービスを提供しているｅＮＢは、ＣＳ呼び出しをＭＭＥから受信した後に、ＣＳ呼び出しを受信した直後に、ＵＥがｅＮＢと共に実行する制御プレーンのメッセージ交換中に、ＴＡＵ手順中にＭＭＥからＵＥに伝達されなかった場合は、ハンドオーバーの準備段階がトリガされる前に、またはハンドオーバーの実行段階にＵＥが続けて受信するＥ−ＵＴＲＡＮコマンドからのハンドオーバーにおいて、ＮＲＩ情報をＵＥに伝達することができる。
【００３０】
本発明の運用において、本発明で対処される２つの呼確立シナリオの１つは、いわゆる移動機への（ＭＴ）呼確立の場合であり、遠隔地の相手が、ＧＳＭまたはＵＭＴＳのネットワークで利用可能になるＬＴＥネットワーク内のＵＥの位置に関する知識を利用して、ＬＴＥネットワークでサービスが提供されているＵＥとの呼を確立しようと試みている。この場合、ＵＥの位置は、ＬＴＥセルに完全に重なる無線通信可能領域を提供するＧＳＭ／ＵＭＴＳシステムに関連付けられているトラッキング移動通信交換局（ＭＳＣ）を介して回線交換された（ＣＳ）ドメインにおいて追跡されている。こうして、移動機への（ＭＴ）音声呼がトリガされると、ＵＥの位置はトラッキングＭＳＣに通知されて、ＣＳ呼び出し（つまりＲＡＴ間呼び出し）をＬＴＥネットワーク内の適切なＭＭＥ（モビリティ管理エンティティ）に送信できるようになる。次に、ＣＳ呼び出しは、ＵＥのパケット交換（ＰＳ）ハンドオーバーを重なるＧＳＭ／ＵＭＴＳシステムに対して実行するようにＬＴＥネットワークをトリガして、ＵＥに送信されたＥ−ＵＴＲＡＮコマンドからのハンドオーバーは、ＣＳ無線リソースおよびＰＳ無線リソースの割り当てを含む。この手順をＣＳフォールバックとも呼ぶ。次に、ＵＥはターゲット２Ｇ／３Ｇセルに移動して、割り当てられたＣＳ無線リソースを使用して呼び出し応答をトラッキングＭＳＣに送信し、次に、ＭＴ呼設定は次の既存のＧＳＭ／ＵＭＴＳ  ＭＴ呼設定手順を完了する。この全体的な手順を図１に示す。
【００３１】
図２は、ＭＭＥからトラッキングＭＳＣへの位置更新手順の１つの可能性を示している。この場合、ＭＭＥからトラッキングＭＳＣに送信された位置更新要求は、トラッキングエリア更新要求を実行するＵＥによってトリガされる。位置更新要求の伝送をトリガする他の可能性もあるが、トラッキングＭＳＣによるロケーションエリア更新要求の受信が、送信ＭＭＥをＵＥが呼び出されるＬＴＥネットワークノードとして確立することを認識する以外には、これらの詳細は、本書の残りにとって重要ではない。図２に示す重要部分は、トラッキングＭＳＣは位置更新応答に、適切なロケーションエリア識別子（ＬＡＩ）情報およびネットワークリソース識別子（ＮＲＩ）情報の両方を含んでいることである。適切なＬＡＩ情報は、位置更新応答を返すトラッキングＭＳＣが制御している異なるＬＡＩをすべて示している。適切なＬＡＩ情報およびＮＲＩは、図２に示すように異なる場所に格納することもでき、ｅＮｏｄｅＢまたはＵＥのいずれかが、移動機からのＣＳ呼に対してなど、さらに利用するために、これらを格納できることを示す（４節を参照）。ＴＡ更新要求／応答メッセージは、実際にはｅＮｏｄｅＢからＭＭＥに透過的に通過したロケーションエリア更新要求／応答メッセージでもよい（いずれの場合でも、メッセージ４はメッセージ１への応答として機能する）。メッセージ６（図２では「通知」と記載）は、適切なＬＡＩ情報およびＴＭＳＩ／ＮＲＩ情報をｅＮｏｄｅＢに伝達する目的で、ＭＭＥから送信できるオプションのメッセージと見なすことができる。
【００３２】
ＲＡＴ間呼び出し−ＭＴ呼に対する呼び出し応答の調整に関する課題
移動機への音声呼が「複数のＣＮノードに対するＲＡＮノードのドメイン間接続（“Ｉｎｔｒａ−ｄｏｍａｉｎ  ｃｏｎｎｅｃｔｉｏｎ  ｏｆ  ＲＡＮ  ｎｏｄｅｓ  ｔｏ  ｍｕｌｔｉｐｌｅ  ＣＮ  ｎｏｄｅｓ）」（３ＧＰＰ  ＴＳ  ２３．２３６を参照）機能をサポートするネットワークによって確立されるときに存在する課題の１つは、図１に示すように、ＣＳ呼び出し（つまり、この場合はＲＡＴ間呼び出し）を送信するＭＳＣは、ＵＥによって送信される呼び出し応答を最終的に受信するのと同じＭＳＣであることを保証することである（つまり、重なるＧＳＭ／ＵＭＴＳシステムの２Ｇ／３ＧセルにＰＳハンドオーバーした後）。
【００３３】
これを解決する方法の１つは、ＣＳ呼び出しを送信するトラッキングＭＳＣが、ＬＴＥシステムのＭＭＥに送信するＣＳ呼び出し要求にネットワークリソース識別子（ＮＲＩ）も含むようにすることである。これに加えて、ＭＳＣは、適切なロケーションエリア識別子（ＬＡＩ）のリストを呼び出しに含む。ＮＲＩは、ＣＳ呼び出しを開始した（ＭＳＣプールの）ＭＳＣを一意に識別し、適切なＬＡＩ情報は、ハンドオーバーの実行が許可されているＭＳＣプール内の１組のＬＡＩ値を識別し、これら両方を以下のように使用することができる。
【００３４】
・適切なＬＡＩ情報は、対象のＭＳＣプールに対応するすべてのＬＡＩを含むため、ハンドオーバーのために選択されたターゲットセルは、示されたＬＡＩの少なくとも１つに属している必要がある。適切なＬＡＩの概念は、ＭＳＣプールのない展開シナリオ、つまりスタンドアロンのＭＳＣにも使用できることも注意する必要がある。後者の場合、適切なＬＡＩ情報は、ＣＳ呼び出しをトリガしたスタンドアロンのＭＳＣに属するすべてのＬＡＩ含む。
【００３５】
・適切なＬＡＩ情報は、現在ＵＥが制御プレーンメッセージ（例えばＣＳ呼び出し）のコンテキスト内にあるＬＴＥセルを制御するｅＮｏｄｅＢに転送される。適切なＬＡＩ情報は、ＵＥから測定情報を受信して、ドメイン間ハンドオーバー手順のターゲットセルを選択するときにｅＮｏｄｅＢによって使用される。つまり、適切なＬＡＩ情報の少なくとも１つに属する十分な信号強度のセルだけを、ターゲット２Ｇ／３Ｇセルとして選択することができる。
【００３６】
・また、ＮＲＩは、現在ＵＥが制御プレーンメッセージ（例えばＣＳ呼び出し）のコンテキスト内でアクティブなＬＴＥセルを制御するｅＮｏｄｅＢに転送され、音声呼をＣＳドメインで確立する必要があることを論理的に示す。これにより、ＵＥから測定情報を請求するようにｅＮｏｄｅＢをトリガしてもよい（例えば、最後に受信した測定情報が十分に最新であると見なされない場合）。
【００３７】
・（ＣＳ呼び出しで受信した適切なＬＡＩ情報に基づいて）ＵＥに最適なサービスを提供するターゲット２Ｇ／３Ｇセルを決定するときに、ｅＮｏｄｅＢは、ドメイン間ハンドオーバー手順の準備段階をトリガして、ドメイン間ハンドオーバーが試みられる２Ｇ／３Ｇセルに関連付けられているサービスを提供しているＳＧＳＮにＮＲＩを転送する。
【００３８】
・ターゲット２Ｇ／３Ｇセルを制御するＢＳＣ／ＲＮＣは、要求されたドメイン間ハンドオーバーおよびトラッキングＭＳＣに対応するＮＲＩについて通知を受け、ターゲット２Ｇ／３ＧでＰＳおよびＣＳのリソースを予約して、構築するドメイン間ハンドオーバーコマンドにＮＲＩを含めて、（サービスを提供しているＳＧＳＮを介して）ターゲット・ソース透過コンテナでサービスを提供しているＬＴＥシステムに送信する。
【００３９】
・ｅＮｏｄｅＢは、Ｅ−ＵＴＲＡＮコマンドメッセージからのハンドオーバーにドメイン間ハンドオーバーコマンドを含み、これをＬＴＥセルのＵＥに送信し、ＵＥは、ドメイン間ハンドオーバー手順をトリガして、２Ｇ／３Ｇセルに移動する。
【００４０】
・ドメイン間ハンドオーバー手順の一部として、２Ｇ／３Ｇセルに到着した後に、ＵＥは、ターゲット２Ｇ／３Ｇセルを制御するＢＳＣ／ＲＮＣに送信する情報内にＮＲＩを含める。
【００４１】
・制御するＢＳＣ／ＲＮＣはＭＳＣのプール全体に接続できるため（つまり、プール機能のＭＳＣが使用中の可能性がある）、呼び出し応答をどのＭＳＣに送信するか（つまり、最初にＣＳ呼び出しをＭＭＥに送信したトラッキングＭＳＣ）を調べるためにＮＲＩを使用する（つまり、ＢＳＣ／ＲＮＣに格納されているルックアップ表を使用する）。
【００４２】
・２Ｇセルのハンドオーバーのために、ＵＥがドメイン間ハンドオーバー手順のＰＳハンドオーバー部分を完了するとすぐに（ＸＩＤ応答メッセージを送信することによって。図３のステップ１２の一部）、割り当てられたＣＳリソースに主な信号リンクが確立されて（つまり、ＵＥが、レイヤ３サービス要求メッセージのページング応答を含むＳＡＢＭをＢＳＳに送信する）、ＢＳＳはＵＡを送信して応答する。
【００４３】
・ＳＡＢＭ（ページング応答メッセージを含む）を受信すると、ＢＳＳは、コンプリートレイヤ３インフォメーション（ＣＯＭＰＬＥＴＥ  ＬＡＹＥＲ  ３  ＩＮＦＯＲＭＡＴＩＯＮ）メッセージ（ページング応答メッセージを含む）を、ＣＳリソースがＧＥＲＡＮセルに割り当てられたことを示すＲＡＴ間呼び出しを最初に送信したトラッキングＭＳＣに送信する。
【００４４】
・次に、３ＧＰＰ  ＴＳ  ２３．１０８に記述されているように、従来の操作に従って移動機への呼確立手順（シグナリング）は完成する。
【００４５】
ドメイン間ハンドオーバーの準備段階がトリガされるときに、ＮＲＩをターゲットシステムの２Ｇ／３Ｇセルを制御するＢＳＣ／ＲＮＣに送信する代わりに、ＮＲＩをサービスを提供しているＬＴＥシステム（Ｅ−ＵＴＲＡＮ）に維持して、実行段階において、最終的にＵＥに送信されるＥ−ＵＴＲＡＮコマンドメッセージからのハンドオーバーに（個別の情報要素として）追加してもよい（つまり、サービスを提供しているＬＴＥシステムが、ターゲットＢＳＳ／ＲＮＣ内のターゲットシステムからサービスを提供しているＢＳＳ／ＲＮＣの透過的なコンテナへのドメイン間ハンドオーバーコマンドを受信した後）。
【００４６】
図３は、この場合の移動機への呼に関連する主なステップを示している。必要条件は、図２に示す位置更新手順がトラッキングＭＳＣに対して実行済みであり、トラッキングＭＳＣによるロケーションエリア更新要求の受信が、送信ＭＭＥをＵＥが呼び出されるＬＴＥネットワークノードとして確立することである。
【００４７】
ターゲット２Ｇ／３Ｇセルのリソース予約に関する課題
ＲＡＴ間呼び出しの呼び出し応答調整が役に立つのは、正しいターゲット２Ｇ／３Ｇセル（もちろん、正しい基地局制御装置（ＢＳＣ）または無線ネットワーク制御装置（ＲＮＣ）を意味する）が、ドメイン間ハンドオーバー手順の準備段階に識別されることを保証することもできる場合である。
【００４８】
・音声呼をＣＳドメインに確立する必要があるという通知を受信すると、サービスを提供しているｅＮｏｄｅＢは、ＬＴＥセルのＵＥとの制御プレーンのメッセージ交換手順をトリガして、これによってＵＥは希望のターゲットセルを識別することができる（つまり、サービスを提供しているＬＴＥセルを制御するｅＮｏｄｅＢは、基本的に、好ましい２Ｇ／３Ｇセル（複数可）を報告するようにＵＥに依頼する）。これが必要なのは、複数の２Ｇ／３Ｇセルが、実際には所定のＬＴＥセルの重なる受信範囲を提供できるためである。
【００４９】
・適切なＬＡＩ情報は、このターゲットセル選択プロセスにおいて異なる方法で使用することができる。ｅＮｏｄｅＢは、適切なＬＡＩ情報に関してＵＥに通知でき、ＵＥは、適切なＬＡＩ情報に属する２Ｇ／３Ｇセルの測定結果を報告するだけである。他の可能性は、ｅＮｏｄｅＢが、適切なＬＡＩ情報に属する２Ｇ／３Ｇセルのみに対する測定および報告をＵＥに依頼して、ｅＮｏｄｅＢが、これらのセルから最適なセルを選択できることである。もう１つのオプションは、ＬＡＩが制限されたハンドオーバーが、ＬＡＩ制限に従ってｅＮｏｄｅＢが最適な選択を行う複数のセルをＵＥが報告することを継続して保証することをｅＮｏｄｅＢが示すことである（つまり、ＵＥは各隣接セルに対応するＬＡＩについての情報は必要ない）。
【００５０】
・この制御プレーンのメッセージ交換の結果として、サービスを提供しているｅＮｏｄｅＢは、ハンドオーバー先として望まれる特定のターゲット２Ｇ／３ＧセルのセルＩＤを識別するため、ドメイン間ハンドオーバー手順の準備段階をトリガすることができる。ＵＥが、複数の候補ターゲット２Ｇ／３Ｇセルが可能であることを示している場合、サービスを提供しているｅＮｏｄｅＢは、適切なＬＡＩ情報およびＵＥから受信した追加情報（例えば、各候補ターゲット２Ｇ／３Ｇセルに関連付けられた信号強度情報）を使用して、１つのターゲット２Ｇ／３Ｇセルを選択する。
【００５１】
・この制御プレーンのメッセージ交換を実行するときに、ＵＥはアクティブモードにある（つまり、１つまたは複数の継続的なＰＳサービスを持っている）ため、候補２Ｇ／３Ｇセルのバックグラウンド測定を既に実行している可能性があり、したがって、ドメイン間ハンドオーバーの準備段階をトリガするために必要な候補ターゲット２Ｇ／３ＧセルＩＤ情報を、サービスを提供しているｅＮｏｄｅＢに迅速に提供することができる。そうでない場合は、ＵＥは、候補２Ｇ／３Ｇセルの追加的なリアルタイム測定を実施して、その後で、この制御プレーンのメッセージ交換手順中に、サービスを提供しているｅＮｏｄｅＢから受信する候補２Ｇ／３Ｇセル情報などの要求に応答することができる。
【００５２】
・このプロセスを単純化する方法の１つは、１つの２Ｇ／３Ｇセルだけが所定のＬＴＥセルによってサービスが提供される通信領域に関連付けられることを許可するように、サービスを提供しているｅＮｏｄｅＢを構成することである。この場合、制御プレーンのメッセージ交換手順は、ＵＥが２Ｇセルまたは３Ｇセルに対するドメイン間ハンドオーバーを好むかどうかを示す機会としてのみ役に立つ。複数の２Ｇ／３Ｇセルが所定のＬＴＥセルによってサービスが提供されている通信領域に関連付けられている場合、適切なターゲットセルを選択するために、適切なＬＡＩ情報をｅＮｏｄｅＢによって使用することができる。
【００５３】
・ドメイン間ハンドオーバーの準備段階が完了したら、サービスを提供しているｅＮｏｄｅＢは、ＵＥに、ターゲット２Ｇ／３Ｇセルで使用する、必要なＰＳおよびＣＳのリソースを識別するＥ−ＵＴＲＡＮコマンド（ドメイン間ハンドオーバーコマンドを含む）からハンドオーバーを送信することによって実行段階をトリガする。これに加えて、２Ｇセルへのドメイン間ハンドオーバーの場合、ＵＥにＥ−ＵＴＲＡＮコマンドからのハンドオーバーを送信する直前、または、このコマンドの一部として、サービスを提供しているｅＮｏｄｅＢは、ＵＥに（ターゲット２Ｇセルに適用可能な）システム情報を提供する。
【００５４】
・したがって、このプロセスは、ＵＥが、サービス継続性を保証するために受け入れ可能な無線通信可能領域を提供するターゲット２Ｇ／３Ｇセルに導くＥ−ＵＴＲＡＮコマンドからのハンドオーバーを受信することを保証する。２Ｇ／３Ｇセルへのドメイン間ハンドオーバーが正しく完了した後に、ＧＳＭ／ＵＭＴＳサービス領域内でサービス継続性が継続されることを保証するために、（従来の手順に従って）後続のハンドオーバーを実行してもよい。
【００５５】
・トラッキングＭＳＣの選択は、特定のＬＴＥセルによってサービスを提供されているＵＥからのトラッキングエリア更新要求の受信に応じて、ＭＭＥによって送信されるロケーションエリア更新要求の受信者として機能するように行う必要があり、トラッキングＭＳＣによるロケーションエリア更新要求の受信は、送信ＭＭＥをＵＥが呼び出されるＬＴＥネットワークノードとして確立することに注意されたい。このトラッキングＭＳＣは、対象のＬＴＥセルの重なる受信範囲を提供する、ほとんどの（またはおそらくすべての）２Ｇ／３Ｇセルを制御するように選択することができる。これは、受信範囲の観点から見た最適な重なる２Ｇ／３Ｇセル（つまり、ハンドオーバー目的に最適なターゲットセル）は、トラッキングＭＳＣに認識されているＬＡＩに関連付けられているセルであることを保証するのに役に立つ。
【００５６】
移動機からの呼
移動機からの呼は、位置更新手順（図２）中に格納された情報、つまり適切なＬＡＩ情報およびＮＲＩを使用して確立することが好ましい。適切なＬＡＩ情報は、ドメイン間ハンドオーバー手順の準備段階において正しいターゲット２Ｇ／３Ｇセルが選択されることを保証するように、この呼の場合にも使用することができる。
【００５７】
・最初に、（つまり、図２に示す位置更新手順の結果として）適切なＬＡＩ情報およびＮＲＩがＵＥもしくはｅＮｏｄｅＢのいずれか、または両方に格納される。
【００５８】
・エンドユーザが移動機からのＣＳ呼を発行しようとしていることをＵＥが識別したら、ＵＥは、それをｅＮｏｄｅＢに示す（例えば、割り当てられたＰＳドメイン無線リソースを使用して送信された制御プレーンメッセージを使用する）。適切なＬＡＩ情報だけがＵＥに格納されている場合は、この情報もＵＥからｅＮｏｄｅＢに渡される。次に、ＭＴの場合について記述したのと同じ機構をｅＮｏｄｅＢによって使用して、例えば、適切なＬＡＩ情報およびオプションとしてＵＥから受信した測定レポートに基づいて、正しいターゲット２Ｇ／３Ｇセルを識別する。
【００５９】
・ドメイン間ハンドオーバー手順のＰＳハンドオーバー部分が、２Ｇセルに対するハンドオーバーの場合に対して完了すると、ＵＥは、ＣＭサービス要求メッセージを送信することによってターゲットセルでＭＯ呼確立をトリガして、ＮＲＩも含める（次に、３ＧＰＰ  ＴＳ  ２３．１０８に定義されている従来の移動機からの呼確立手順に従って、追加のシグナリングを行う）。制御するＢＳＣ／ＲＮＣはＭＳＣのプール全体に接続できるため（つまり、プール機能のＭＳＣが使用中の可能性がある）、ＣＭサービス要求をどのＭＳＣに送信するかを調べるためにＮＲＩを使用する（つまり、ＢＳＣ／ＲＮＣに格納されているルックアップ表を使用する）。
【００６０】
・このＵＥに対する位置更新を最初に受信したトラッキングＭＳＣは、対応するＣＭサービス要求を受信して、次に、ＵＥからのＣＳ呼に関連付けられている従来の手順を使用して呼設定が完了する。
【００６１】
図４は、ドメイン間ハンドオーバー手順がＣＳフォールバック機構として使用されている場合における移動機発信呼に関係する主なステップを示している。代わりに、その他のＣＳフォールバック機構（つまりハンドオーバー以外）をＭＴおよびＭＯの両方の場合に使用できることに注意されたい。例えば、事前に割り当てられたＣＳおよびＰＳのドメインリソースを最初に受信することなく、２Ｇ／３Ｇセルに移動するようにＵＥが指示され、したがって、これらのリソースを取得するためにターゲット２Ｇ／３Ｇセルにおいてコンテンションアクセス手順を実行しなければならないセル変更順序（Ｃｅｌｌ  Ｃｈａｎｇｅ  Ｏｒｄｅｒ（ＣＣＯ））機構である。すべてのＣＳフォールバック機構は、ＴＡＵ、トラッキングＭＳＣによるＣＳドメインの位置追跡、ＣＳ呼び出し、セル変更をトリガする前のｅＮＢおよびＵＥの制御プレーン情報交換、適切なＬＡＩ情報およびＵＥによって提供される測定情報に基づくターゲットセルＩＤの選択、ターゲット２Ｇ／３Ｇセルに移動するようにＵＥに指示、ＵＥが呼び出し応答をターゲット２Ｇ／３Ｇセルに送信、および最後にターゲット２Ｇ／３Ｇセルで呼確立シグナリング手順を完了という重要な共通手順の要素を共有している。
【００６２】
ＲＡＴ間呼び出し−呼び出し応答の調整に関する課題およびターゲット２Ｇ／３Ｇセルのリソース予約に関する課題の両方を上記のように解決することによって、ＵＥへのＣＳ呼に対する既存の２Ｇ／３Ｇ手順は最大限に再利用可能になり、ＵＥは、実際にはＬＴＥセルに重なり、それによって受け入れ可能なハンドオーバー後の無線品質を保証する２Ｇ／３Ｇセルの無線リソースが提供される。
【００６３】
例示を目的として前述の実施形態に本発明の詳細を記述したが、そのような詳細は例示のみを目的とするものであって、添付の特許請求の範囲に記述されている例外を除いて、本発明の精神および範囲から逸脱することなく、当業者なら変更が可能なことを理解されたい。
【図１】
0005542993.tif 000002
【図２】
0005542993.tif 000003
【図３】
0005542993.tif 000004
【図４】
0005542993.tif 000005
【図５】
0005542993.tif 000006
【図６】
0005542993.tif 000007